(57)【要約】【課題】煩雑な配線工事を施さなくても良く、また乾電池等のバックアップ電池を搭載しなくても支障なく働くことのできる半自動水栓を提供する。【解決手段】水路３２に水流を起す起動弁としての手動弁と、電磁弁と、水路３２の水流により発電する発電機３６と、人体を検知するセンサ２１と、センサ２１からの信号に基づいて電磁弁の開閉を作動制御する制御部４０とを含んで半自動水栓１０を構成し、手動スイッチ２０を使用者が手動操作して手動弁を開弁させることにより水路３２を開いて吐水口１６より吐水させるとともに、発電機３６を発電動作させて電力供給によりセンサ２１によるセンシングを開始させ、センサ２１により人体の非検知により電磁弁を閉弁させて止水するようになす。【選択図】        図２
2004257143.tif 000002
【特許請求の範囲】
【請求項１】
（イ）水路に水流を起す起動弁としての手動弁と、（ロ）電気駆動弁と、（ハ）該水路の水流により発電する発電機と、（ニ）人体を検知するセンサと、（ホ）該センサからの信号に基づいて該電気駆動弁の開閉を作動制御する制御部とを有し、前記手動弁を使用者が手動操作して開弁させることにより前記水路を開いて吐水口より吐水させるとともに、前記発電機を発電動作させて電力供給により前記センサによるセンシングを開始させ、該センサによる人体の非検知により前記電気駆動弁を閉弁させて止水するようになしてあることを特徴とする半自動水栓。
【請求項２】
請求項１において、前記手動弁の開弁による前記発電機の発電により閉弁状態にある前記電気駆動弁を開弁させ、該手動弁の閉弁後も該電気駆動弁を開弁状態に保持するものとなしてあることを特徴とする半自動水栓。
【請求項３】
請求項２において、前記手動弁と電気駆動弁とを共通の主弁に対するパイロット弁として設けてあり、それら手動弁及び電気駆動弁の何れかを開弁させることで該主弁が開弁するものとなしてあることを特徴とする半自動水栓。
【請求項４】
請求項１〜３の何れかにおいて、前記起動弁としての手動弁及び電気駆動弁とは別の第２の手動弁が設けてあり、該第２の手動弁は流量調節弁及び／又は温度調節弁としての機能を有していることを特徴とする半自動水栓。
【請求項５】
請求項４において、前記半自動水栓がシングルレバー式の混合水栓であって、前記第２の手動弁が、シングルレバー操作部により操作される弁であることを特徴とする半自動水栓。
【請求項６】
請求項１において、前記起動弁としての手動弁が流量調節弁及び／又は温度調節弁としての機能を有していることを特徴とする半自動水栓。
【請求項７】
請求項６において、前記電気駆動弁は前記起動弁としての手動弁を開操作して水流を生ぜしめる際、予め開弁状態に保持されていることを特徴とする半自動水栓。
【請求項８】
請求項７において、前記電気駆動弁は、前記起動弁としての手動弁の閉弁により、若しくは前記センサによる人体の非検知に基づいて閉弁した後、設定時間非検知状態が続いた後開弁するものとなしてあることを特徴とする半自動水栓。
【請求項９】
請求項６〜８の何れかにおいて、前記半自動水栓がシングルレバー式の混合水栓であって、前記起動弁としての手動弁が、シングルレバー操作部により操作される弁であることを特徴とする半自動水栓。
【請求項１０】
請求項１〜９の何れかにおいて、前記発電機，センサ，電気駆動弁及び起動弁としての手動弁が何れもカウンター等取付基体の取付面より外部に延び出した吐水部に備えてあることを特徴とする半自動水栓。
【発明の詳細な説明】
【０００１】
【発明の属する技術分野】
この発明は使用者の手動操作によって吐水を開始するとともにセンサがセンシングを開始し、その後センサによる人体の非検知により自動的に吐水停止する新規な半自動水栓に関するものである。
【０００２】
【従来の技術及び発明が解決しようとする課題】
従来より、吐水口に近い位置に人体を検知するセンサを備え、そのセンサによる人体検知に基づいて吐水口から自動吐水するようになした自動水栓が公共トイレ等に広く設置されている。
図１７はその一例を具体的に示したものである。
同図において、２００は手洗器２０２の上面から起立する形態で設けられた自動水栓２０４の吐水部で、２０６はこの吐水部２００から離隔した位置に設けられた本体機能部である。
【０００３】
吐水部２００は、吐水口２０８とその近傍において人体を検知するセンサ２１０とを有しており、吐水口２０８の前方に手を差し出すと、センサ２１０がこれを検知して吐水口２０８から自動吐水するようになっている。
本体機能部２０６はボックス２１２を有しており、その内部に給水元管２１４から給水チューブ２１６を経て吐水部２００に至る水路を開閉するための電磁弁（電気駆動弁）２１８と、水路の水流で水車を回転させて発電を行う発電機２２０と、その発電機２２０からの電力を蓄える充電素子２２２，更にセンサ２１０から送られる人体の検知・非検知信号に基づいて電磁弁２１８を開閉制御する制御部２２４が収容されている。
また電池ボックス内部にバックアップ電池としての乾電池２２６が収容されている。
【０００４】
この自動水栓２０４の場合、センサ２１０が手を検知すると、本体機能部２０６において制御部２２４がその信号を受けて電磁弁２１８を開動作させ、吐水部２００へと給水を行わせて吐水口２０８から吐水させる。
また一方手が引き込まれてセンサ２１０が人体非検知状態になると、そこで制御部２２４が電磁弁２１８を閉動作させ、吐水口２０８からの吐水を停止させる。
【０００５】
発電機２２０は、吐水中に発電を行って充電素子２２２に電力供給し、そしてこの充電素子２２２を電源としてセンサ２１０や制御部２２４、更には電磁弁２１８が駆動される。
【０００６】
しかしながらこの種従来の自動水栓２０４の場合、本体機能部２０６から吐水部２００のセンサ２１０に対し電源供給しなければならず、またセンサ２１０からの信号を本体機能部２０６に伝送しなければならないことから、本体機能部２０６と吐水部２００とを、電源線及び信号線から成る電気配線の配線コード２２８で連絡しておかなければならず、このため自動水栓２０４を設置する際の施工が面倒になるといった問題があった。
【０００７】
また２４時間を通じて常時センサ２１０によるセンシングを行わなければならないため、電源となる充電素子２２２として使用可能なものも自ずと制限され、また充電素子２２２が充電切れとなったときに作動不能とならないように、バックアップ電池として乾電池２２６を常備しておかなければならず、また乾電池２２６の消耗に伴って頻繁に電池交換を行わなければならないといった問題が内在していた。
【０００８】
更にこの自動水栓２０４では、バックアップ電池としての乾電池２２６を用いるための回路が複雑となったり、当然の如くその回路や乾電池２２６収容のためのスペースが余分に必要となり、自動水栓２０４を小型化する上でそれらが障害となっていた。
【０００９】
これに対し下記特許文献１には、本体機能部と吐水口近傍のセンサとの間で信号を無線で送受信するようになしたものが提案されている。
図１８はその具体例を示している。
同図において２３０は吐水口、２３２は吐水口２３０近傍に設けられた人体検知用のセンサ、２３４は水栓本体で、２３６はその上部に設けられた制御装置、２３８は吐水口２３０側から水栓本体２３４側に無線で信号を送信する送信部、２４０はその信号を受信する受信部であり、２４２は水路を開閉する電磁弁、２４４は制御装置２３６と電磁弁２４２とを結ぶ信号線である。
【００１０】
この図１８の水栓の場合、センサ２３２が人体を検知すると送信部２３８から受信部２４０に信号が送信される。
制御装置２３６は、この信号を受けて電磁弁２４２を開動作させて吐水口２３０から吐水を行わせる。
また一方センサ２３２が人体非検知状態になると、送信部２３８から受信部２４０に送られた信号に基づいて制御装置２３６が電磁弁２４２を閉動作させ、吐水口２３０からの吐水を停止させる。
【００１１】
この図１８に示す水栓の場合、吐水口２３０と水栓本体２３４との間で信号を無線で送受信することから、それらの間での信号線の配線は不要となすことができる。
しかしながら水栓本体２３４は本来カウンター等の上面に設置されるものであり、電磁弁２４２がカウンター下のキャビネット内部に設置されていると、カウンターを貫通してその水栓本体２３４とキャビネット内の電磁弁２４２とを電気配線（信号線２４４）で接続するための施工を行わなければならない問題がある。
【００１２】
更にまたこの図１８に示す水栓の場合、センサ２３２において２４時間センシングするための電源、更に送信部２３８から信号を送信するための電源が必要となるが、この特許文献１にはその電源の問題には触れられておらず、従ってその電源についての問題は未解決のままである。
【００１３】
【特許文献１】
実開平３−１１９０６５号公報
【００１４】
【課題を解決するための手段】
本発明の半自動水栓はこのような課題を解決するために案出されたものである。
而して請求項１のものは、（イ）水路に水流を起す起動弁としての手動弁と、（ロ）電気駆動弁と、（ハ）該水路の水流により発電する発電機と、（ニ）人体を検知するセンサと、（ホ）該センサからの信号に基づいて該電気駆動弁の開閉を作動制御する制御部とを有し、前記手動弁を使用者が手動操作して開弁させることにより前記水路を開いて吐水口より吐水させるとともに、前記発電機を発電動作させて電力供給により前記センサによるセンシングを開始させ、該センサによる人体の非検知により前記電気駆動弁を閉弁させて止水するようになしてあることを特徴とする。
【００１５】
請求項２のものは、請求項１において、前記手動弁の開弁による前記発電機の発電により閉弁状態にある前記電気駆動弁を開弁させ、該手動弁の閉弁後も該電気駆動弁を開弁状態に保持するものとなしてあることを特徴とする。
【００１６】
請求項３のものは、請求項２において、前記手動弁と電気駆動弁とを共通の主弁に対するパイロット弁として設けてあり、それら手動弁及び電気駆動弁の何れかを開弁させることで該主弁が開弁するものとなしてあることを特徴とする。
【００１７】
請求項４のものは、請求項１〜３の何れかにおいて、前記起動弁としての手動弁及び電気駆動弁とは別の第２の手動弁が設けてあり、該第２の手動弁は流量調節弁及び／又は温度調節弁としての機能を有していることを特徴とする。
【００１８】
請求項５のものは、請求項４において、前記半自動水栓がシングルレバー式の混合水栓であって、前記第２の手動弁が、シングルレバー操作部により操作される弁であることを特徴とする。
【００１９】
請求項６のものは、請求項１において、前記起動弁としての手動弁が流量調節弁及び／又は温度調節弁としての機能を有していることを特徴とする。
【００２０】
請求項７のものは、請求項６において、前記電気駆動弁は前記起動弁としての手動弁を開操作して水流を生ぜしめる際、予め開弁状態に保持されていることを特徴とする。
【００２１】
請求項８のものは、請求項７において、前記電気駆動弁は、前記起動弁としての手動弁の閉弁により、若しくは前記センサによる人体の非検知に基づいて閉弁した後、設定時間非検知状態が続いた後開弁するものとなしてあることを特徴とする。
【００２２】
請求項９のものは、請求項６〜８の何れかにおいて、前記半自動水栓がシングルレバー式の混合水栓であって、前記起動弁としての手動弁が、シングルレバー操作部により操作される弁であることを特徴とする。
【００２３】
請求項１０のものは、請求項１〜９の何れかにおいて、前記発電機，センサ，電気駆動弁及び起動弁としての手動弁が何れもカウンター等取付基体の取付面より外部に延び出した吐水部に備えてあることを特徴とする。
【００２４】
【作用及び発明の効果】
以上のように本発明は、水路を開いて水流を生ぜしめる起動弁としての手動弁を水栓に具備させ、使用者がその手動弁を操作することで、吐水口から吐水開始するとともに発電機を発電動作させてセンサによるセンシングを開始させ、そしてセンサによる人体非検知により電気駆動弁を閉弁して止水する形態で水栓を半自動水栓として構成したものである。
【００２５】
本発明は、キッチン用の水栓や手洗用の水栓等が必ずしも２４時間を通じて常時使用されるものではなく、設置場所や用途等によってはその使用時期がある時間帯に限られている場合が多いことに着眼して案出されたもので、かかる本発明の半自動水栓によれば、センサにより２４時間を通じて常時センシングを行うものでないことから、即ち使用者の操作による吐水で初めてセンシングを開始するものであることから、従来の自動水栓のようにセンサが２４時間を通じて常時センシングできるように充電素子を選択したり充電回路を構成したり、或いは充電切れに備えてのバックアップ電池を備えておくといったことを不要化でき、これにより回路を簡単なものとしたり或いはバックアップ電池等のためのスペースを削減して水栓を小型化することが可能となる。
【００２６】
また本発明においては半自動水栓として必要な要素、具体的には手動弁，電磁弁等の電気駆動弁，発電機，センサ，制御部等をカウンター等取付基体の取付面から外部に露出した吐水部に備え付けておくことが可能であり（請求項１０）、そしてこのようになした場合、図１７及び図１８に示すような自動水栓の如く吐水部と本体機能部との間、或いは吐水部とキャビネット下の電磁弁（電気駆動弁）等との間で電気配線工事を施さなくても良く、水栓の構成が簡略化するとともに施工の手間も節減することが可能となる。
【００２７】
本発明においては、手動弁の開弁による発電機の発電により閉弁状態にある電気駆動弁を開弁させ、手動弁の閉弁後も電気駆動弁を開弁状態に保持するようになしておくことができる（請求項２）。
【００２８】
この場合において、その手動弁と電気駆動弁とを共通の主弁に対するパイロット弁として設けておき、それら手動弁及び電気駆動弁の何れかを開弁させることで主弁を開弁させ、以って水路を開放状態として吐水口からの吐水の継続及び発電機の発電動作をそのまま継続させることができる（請求項３）。
【００２９】
請求項４は、上記起動弁としての手動弁及び電気駆動弁とは別の第２の手動弁を設け、その第２の手動弁を流量調節弁，温度調節弁の何れか又は両方の機能を有するように構成したもので、この請求項４によれば、第２の手動弁を操作することによって、半自動水栓に吐水と止水のみならず流量調節，温度調節も併せて行わせることができ、水栓の用途が広がる利点が得られる。
【００３０】
この場合においてその半自動水栓をシングルレバー式の混合水栓として構成し、そして上記第２の手動弁をシングルレバー操作部により操作される弁としてなしおくことができる（請求項５）。
【００３１】
次に請求項６は、請求項１において起動弁としての手動弁を流量調節弁と温度調節弁の何れか又は両方の機能を有するように構成したもので、この場合においても半自動水栓に吐止水のみならず流量調節，温度調節機能も付与することができ、半自動水栓の用途が広がる利点が得られる。
【００３２】
この場合において電気駆動弁は、起動弁としての手動弁を開操作して水流を生ぜしめる際、予め開弁状態に保持するようになしておくことができる（請求項７）。
【００３３】
更にこの場合において電気駆動弁は、起動弁としての手動弁の閉弁により開弁するものとなし、或いはセンサによる人体非検知に基づいて閉弁した後、設定時間非検知状態が続いた後、開弁するものとなしておくことができる（請求項８）。
【００３４】
請求項６〜８の何れかにおいて、半自動水栓をシングルレバー式の混合水栓となし、起動弁としての手動弁を、シングルレバー操作部により操作される弁として構成しておくことができる（請求項９）。
【００３５】
【実施例】
次に本発明の実施例を図面に基づいて詳しく説明する。
図１において１０は本例の半自動水栓で、基部１２及びこの基部１２から延び出した吐水管１４を有している。
吐水管１４の先端部は、吐水口１６を有する吐水ヘッド１８となっている。
この吐水ヘッド１８の上面には、吐水口１６からの吐水開始を行わせる手動スイッチ（手動操作部）２０が設けられており、またその前面には人体、詳しくは差し出された手を検知するためのセンサ２１が設けられている。
【００３６】
本例では、基部１２，吐水管１４から成る吐水部２６が手洗器２２の上面を取付面２４として、その上方外部に露出する形態で設けられている。
また本例においては、吐水部２６によって半自動水栓１０の全体が構成されている。
２８は取付面２４の下方に位置する元管で、この元管２８からの水が導管３０を通じて吐水部２６、即ち半自動水栓１０へと供給される。
【００３７】
図２に示しているように本例の半自動水栓１０には、吐水口１６に至る水路３２上に弁装置３４と、水路３２の水流で発電する発電機３６とが備えられている。
更に発電機３６の発電で充電する充電素子３８、及びセンサ２１からの信号に基づいて弁装置３４を作動制御するマイコンから成る制御部４０を備えている。
ここでセンサ２１及び制御部４０は発電機３６の発電により電源供給されてそれぞれ動作する。
【００３８】
図２における弁装置３４の構成が図３に具体的に示してある。
図示のようにこの例の弁装置３４は、電磁弁５０と、水路３２に水流を起す起動弁としての手動弁５２とを主弁５４のパイロット操作用の弁として備えている。
これら電磁弁５０及び手動弁５２は、主弁５４とともに共通のボデー５５に組み付けられている。
主弁５４は、水路３２上に開閉可能に設けられたダイヤフラムから成る主弁体５６を有している。
【００３９】
主弁体５６は、弁座５７に着座することによって水路３２を閉鎖し、また弁座５７から図中上向きに離間することによって水路３２を開放する。
即ち主弁体５６が弁座５７に着座することによって、上流側水路３２ａと下流側水路３２ｂとを遮断し、また主弁体５６が弁座５７から図中上向きに離間することによって、それら上流側水路３２ａと下流側水路３２ｂとを連通させる。
【００４０】
５８は主弁体５６の背面に形成された背圧室で、主弁体５６は通常時はこの背圧室５８内の水圧により弁座５７に着座した状態即ち閉弁状態に保持される。
この背圧室５８は、主弁体５６に形成された小孔６０を通じて上流側水路３２ａと連通した状態にあり、この上流側水路３２ａの水がこの小孔６０を通じて背圧室５８に導入されるようになっている。
【００４１】
弁装置３４には、背圧室５８内の水を下流側水路３２ｂへと抜くための第１水抜水路６２と第２水抜水路６４とが設けられており、そしてその第１水抜水路６２上に電磁弁５０におけるプランジャ弁体６６が設けられており、更に第２水抜水路６４上にこれを開閉する手動弁５２の手動弁体６８が設けられている。
この手動弁体６８には、弁開操作を行うための操作力を入力するための棒状の押込部７０が外部に突き出す状態で一体に設けられている。
ここで手動弁体６８は、スプリング７２によって常時閉弁方向に付勢されている。
尚、第２水抜水路６４はその一部が第１水抜水路６２と共通に構成されている。
【００４２】
上記電磁弁５０におけるプランジャ弁体６６は磁性材から成っており、スプリング７４によって常時閉弁方向に付勢されているとともに、ソレノイドコイル７６の電磁的な吸引力によってスプリング７４の付勢力に抗し開弁動作するようになっている。
プランジャ弁体６６は、開弁後においてラッチマグネット７８の磁気的な吸引力によって開弁状態に保持される。
【００４３】
またその状態においてソレノイドコイル７６に対し開弁時とは逆向きの電流が給電されることで、ソレノイドコイル７６による電磁的な反発力によりプランジャ弁体６６が閉弁動作させられ、そして閉弁後においてはスプリング７４の付勢力によって閉弁状態に保持される。
即ち電磁弁５０は、プランジャ弁体６６を開弁後においてはその開弁状態に、また閉弁後においてはその閉弁状態にそれぞれ保持するものとなっており、開弁動作時と閉弁動作時のみソレノイドコイル７６に給電が行われることで開弁動作及び閉弁動作する。
【００４４】
上記第２水抜水路６４は、手動弁体６８の開弁によって背圧室５８と下流側水路３２ｂとを連通させる。
また第１水抜水路６２も同様に、プランジャ弁体６６の開弁によって背圧室５８と下流側水路３２ｂとを連通させる。
即ちこの例の弁装置３４は、手動弁体６８及びプランジャ弁体６６の何れかが開弁することによって、背圧室５８と下流側水路３２ｂとを連通させる。
【００４５】
而して背圧室５８と下流側水路３２ｂとが連通すると、背圧室５８内の水が下流側水路３２ｂへと流れ込んで背圧室５８内の水圧が消失し、ここにおいて主弁体５６が上流側水路３２ａの給水圧により開弁動作して水路３２を開放状態とする。
即ち上流側水路３２ａと下流側水路３２ｂとを連通状態とし、水路３２に水流を生ぜしめる。
【００４６】
具体的にはこの例では、先ず手動スイッチ２０の押操作により棒状の押込部７０を介して手動弁体６８を開弁させることで、背圧室５８と下流側水路３２ｂとを第２水抜水路６４を介して連通させ、これによって主弁体５６を開弁動作させる。
すると水路３２に水流が生じて、その水流により上記の発電機３６が発電動作を開始する。
そしてその後はその発電機３６で発生した電力により電磁弁５０が開弁駆動される。
【００４７】
尚この例において、第２水抜水路６４における手動弁体６８の上流側の部分と、第１水抜水路６２におけるプランジャ弁体６６の上流側の部分とは常時連通した状態にある。
この例では、第２水抜水路６４の一部が第１水抜水路６２と共通する形態で設けられているが、第２水抜水路６４を第１水抜水路６２とは全く独立に、背圧室５８と下流側水路３２ｂとを連通させる状態で設けることも可能である。
【００４８】
図４〜図６はこの手動弁５２付きの且つラッチ式の弁装置３４の作用を具体的に示したものである。
図４（Ｉ）では主弁５４，電磁弁５０及び手動弁５２の何れもが閉弁状態にあって、水路３２には水流は生じていない。
従ってこの時点では発電機３６は停止した状態にある。
【００４９】
この状態で、図４（ＩＩ）に示しているように押込部７０に僅かに力を加えて手動弁５２を開弁させると、背圧室５８と下流側水路３２ｂとが第２水抜水路６４を通じて連通した状態となり、背圧室５８内の水がこの第２水抜水路６４を通じて下流側水路３２ｂへと流れ込む。
ここにおいて主弁体５６に対する背圧室５８内の水圧が消失して、主弁体５６が図５（ＩＩＩ）に示しているように上流側水路３２ａの給水圧により押し上げられて主弁５４が開弁する。
【００５０】
この段階で上流側水路３２ａと下流側水路３２ｂとは連通した状態となって水路３２に水流が生じ、その水流によって発電機３６の水車が回転して発電を開始し、発生した電力が電磁弁５０に供給される。
そしてその電力供給及び制御部４０からの駆動信号により、図５（ＩＶ）に示しているように電磁弁５０が開弁させられ、第１水抜水路６２が開放状態となる。開弁した電磁弁５０はそのまま開弁状態に保持される。
【００５１】
この状態で押込部７０に対する操作力を除いても、即ち図６（Ｖ）に示しているように手動弁体６８がスプリング７２の付勢力により閉弁して第２水抜水路６４を遮断しても、背圧室５８は第１水抜水路６２を通じて下流側水路３２ｂと連通した状態に保持されるから、主弁５４はその後も開弁状態に保持される。
即ち手動弁５２が閉じられても水路３２には水が流れ続けており、そしてその水流によって発電機３６は引続き発電を継続する。
【００５２】
そして主弁５４が開弁した後、設定した閉弁時期に至ると、ここにおいて制御部４０からの駆動信号により電磁弁５０が閉弁し、背圧室５８と下流側水路３２ｂとの連通を遮断する（図６（ＶＩ）参照）。
すると小孔６０を通じて上流側水路３２ａの水が背圧室５８に導入されることで背圧室５８内の水圧が増大し、そしてその水圧が所定圧力に達すると、ここにおいて主弁体５６が押し下げられて主弁５４が閉弁し、水路３２を遮断状態とする。
【００５３】
次に本例の半自動水栓１０の作用を、図８のフロー図と併せて図７の作用説明図に基づき説明する。
本例の半自動水栓１０にあっては、水栓使用に際して先ず使用者が手動スイッチ２０を押操作する。
【００５４】
すると半自動水栓１０内部に設けられた図３の弁装置３４における押込部７０が押し込まれて手動弁体６８が開弁し、ここにおいて主弁５４が開弁して水路３２に水流が生じ、吐水口１６から吐水が開始されるとともに、その水流によって発電機３６が発電動作を開始する。
また併せて、この時点で制御部４０及びセンサ２１に電力供給されて、センサ２１がセンシングを開始するとともに制御部４０が制御動作を開始する（図７（Ｉ），（ＩＩ）及び図８のＦ１０，Ｆ１２）。
【００５５】
そして制御部４０は、発電機３６の発電開始と同時に電磁弁５０に対し電力供給させるとともに、これに開弁信号を送信して電磁弁５０を開弁動作させる。
この時点で弁装置３４における背圧室５８と下流側水路３２ｂとは、第１水抜水路６２と第２水抜水路６４との何れを通じても連通した状態となり、従ってその後使用者が手動スイッチ２０から手を放して手動弁体６８を閉弁させても、背圧室５８は第１水抜水路６２を通じて下流側水路３２ｂと連通した状態に保たれ、従って水路３２は引続き開放状態に保持されて、吐水口１６からの吐水が引続き継続して行われる。
【００５６】
この状態で図７（ＩＩＩ）に示しているように、使用者が吐水口１６の下方に手を差し出すと、センサ２１がこれを検知し、そしてその検知に基づいて電磁弁５０が引続き開弁状態に保持されて、吐水口１６からの吐水がなお継続される（図８のＦ１４）。
【００５７】
その後使用者が吐水口１６の下方から手を引き込めると、ここにおいてセンサ２１が手を非検知となり、そしてこの信号に基づいて制御部４０から電磁弁５０に対し閉弁信号が送られて、電磁弁５０が閉弁動作させられる。
ここにおいて水路３２が遮断されて吐水口１６からの吐水が停止（止水）され、また併せて水流の停止により発電機３６の発電動作が停止する（図７（ＩＶ），図８のＦ１６）。
【００５８】
その後設定した短時間内に再び吐水口１６の下方に使用者が手を差し出すと、そこで再び発電機３６からの電力により充電した充電素子３８を電源として電磁弁５０が開弁し、吐水口１６からの吐水が行われ、その後手を引き込めると上記と同様にして電磁弁５０の閉弁及びこれによる吐水口１６からの吐水が停止する（図８のＦ１８）。
【００５９】
その後センサ２１が設定時間よりも長時間手を非検知状態となると、ここにおいて図７（Ｖ）に示しているようにセンサ２１，制御部４０の動作が充電切れにより停止し、当初の状態となる（図８のＦ２０，Ｆ２２）。
【００６０】
尚、図８のＦ１２において吐水口１６からの吐水及びセンサ２１によるセンシングを開始した後、そのまま設定時間よりも長時間センサ２１が非検知状態にあると、ここにおいて電磁弁５０を閉弁動作させた後、センサ２１及び制御部４０が動作停止し、当初の状態に戻る（図８のＦ２４，Ｆ２２）。
【００６１】
このように本例の半自動水栓１０は、使用者の操作によって吐水を開始するとともにセンサ２１によるセンシングを開始し、その後は使用者が水栓の使用を終了したことを検知して自動的に吐水を停止する。
【００６２】
かかる本例の半自動水栓１０はセンサ２１により２４時間を通じて常時センシングを行うものでないことから、即ち使用者の操作による吐水で初めてセンシングを開始するものであることから、従来の自動水栓のようにセンサが２４時間を通じて常時センシングできるように充電素子を選択したり充電回路を構成したり、或いは充電切れに備えてのバックアップ電池を備えておくといったことを不要化でき、これにより回路を簡単なものとしたり或いはバックアップ電池等のためのスペースを削減して半自動水栓１０を小型化することができる。
【００６３】
また本例においては、半自動水栓１０として必要な要素、具体的には手動弁５２，電磁弁５０，発電機３６，センサ２１，制御部４０等を吐水部２６に備え付けてあるので、従来の自動水栓のように吐水部と本体機能部との間、或いは吐水部とキャビネット下の電磁弁等との間で電気配線工事を施すといったことは必要なく、半自動水栓１０の構成が簡略化するとともに施工の手間も節減することができる。
【００６４】
次に図９及び図１０は本発明の他の実施例を示している。
この例は、シングルレバー式の混合水栓を半自動水栓８２として構成した例である。
シングルレバー式混合水栓から成る本例の半自動水栓８２は、上記第１の実施例と同様に取付面２４の上方外部に露出する吐水部２６によって半自動水栓８２が全体的に構成されている。
【００６５】
但しここでは半自動水栓８２が、キッチンにおける流し台８０のカウンター上面を取付面２４として設置されている。
即ちこの例の半自動水栓８２はキッチン水栓として構成された例である。
【００６６】
この例では、水栓本体を成す基部１２に対し、図９に示しているように水，湯の元管２８，２８から水，湯が導管８５，８５を通じてそれぞれ供給されるようになっている。
【００６７】
この例の半自動水栓８２は、基本的に図１及び図２の半自動水栓１０と同様のものであるが、この例では基部１２がシングルレバー式混合水栓における水栓本体として構成されており、その内部に送られて来た水と湯との混合比率を調節して吐水の温度調節を行う温度調節弁としての機能と、更に吐水の流量調節を行う流量調節弁としての機能を有する第２の手動弁８４（図１０参照）が、起動弁としての手動弁５２とは別途に設けられている。
【００６８】
この手動弁８４は、従来のシングルレバー式混合水栓における流量調節弁及び温度調節弁と基本的に同様の形態のものである。
従ってこの手動弁８４は、上記と併せて吐止水弁としての機能も持つことができる。
【００６９】
基部１２の上部には、シングルレバーから成る手動レバー８６が設けられており、この手動レバー８６の上下及び左右回転操作によって、手動弁８４による流量調節及び温度調節が行われる。
尚他の点については上記第１の実施例と同様である。
【００７０】
この例の半自動水栓８２では、使用者が手動レバー８６を操作することによって、吐水口１６から所望の流量及び温度で吐水を行わせることができる。
尚手動弁８４は通常開弁状態に保持しておく。
この意味において手動弁８４は、吐止水弁としての機能を持たないものとなしておくこともできる。
【００７１】
図１１にこの例の半自動水栓８２の作用説明図が示してあるが、手動レバー８６によって手動弁８４を所望の流量且つ所望の温度で吐水を行うように調節しておく点を除いては、基本的に第１の実施例、詳しくは図７に示す作用と同様となる。
ここでは図１１にその作用のみを図示して詳しい説明は省略する。
【００７２】
かかる本例の半自動水栓８２によれば、手動レバー８６を操作することによって半自動水栓８２に吐水と止水の機能のみならず流量調節，温度調節機能も併せて持たせることができ、半自動水栓８２の用途が広がる利点が得られる。
【００７３】
次に図１２及び図１３は本発明の更に他の実施例を示している。
上記第１及び第２の実施例においては、水路３２上に起動弁としての手動弁５２を備えた弁装置３４が設けられているが、この例では図１３に示しているようにその弁装置３４に代えて、手動弁５２を備えていない弁装置９０、即ち電磁弁５０と主弁５４とだけを有し、手動弁５２を備えない弁装置９０が設けられている。
【００７４】
一方この弁装置９０の上流部には、吐止水弁としての機能と流量調節弁としての機能及び温度調節弁としての機能を有する手動弁８４が、水栓本体を成す基部１２の内部に設けられている。
またその基部１２の上部には、シングルレバーから成る手動レバー８６が設けられている。
この点については基本的に第２の実施例と同様である。
【００７５】
この例の場合、手動弁８４が水路３２に水流を起すための起動弁としての働きと、その他に流量調節及び温度調節弁としての機能を併せて有している。
この例においても手動弁８４はシングルレバー式混合水栓における手動弁と同様のものであり、またその操作部となる手動レバー８６も、シングルレバー式混合水栓における手動レバーと基本的に同様のものである。
即ちこの例においてもシングルレバー式混合水栓が半自動水栓８８として構成されている。
【００７６】
図１４に本例の半自動水栓８８の作用が、また図１５にその作用がフロー図として示してある。
本例の半自動水栓８８では、先ず使用者が手動レバー８６を開操作して手動弁８４を開弁させる。
【００７７】
この半自動水栓８８では、これを使用する前において予め図１３の弁装置９０における電磁弁５０が開弁状態に保持されている。
従ってこの状態で手動弁８４を開弁させると、水路３２に水流が生じ、吐水口１６から吐水が開始されるとともに併せて発電機３６が発電動作を開始する。
【００７８】
そして発電機３６で発生した電力がセンサ２１，制御部４０に供給されてそれらが動作開始する。即ちセンサ２１がセンシングを開始する。
この点は第１及び第２の実施例と同様である（図１４（Ｉ）及び（ＩＩ），図１５のＦ２４，Ｆ２６）。
【００７９】
この状態で使用者が吐水口１６の下方に手を差し出すと、センサ２１がこれを検知して吐水を続行する（図１４（ＩＩＩ），図１５のＦ２８）。
その後使用者が吐水口１６の下方から手を引き込むと、ここにおいてセンサ２１が手を非検知となり、そしてセンサ２１からの信号を受けて制御部４０が弁装置９０の電磁弁５０に対し閉弁信号を送信し、電磁弁５０を閉弁動作させる。
即ち吐水口１６からの吐水を停止させる（図１４（ＩＶ），図１５のＦ３０）。
【００８０】
その後設定した短時間内に使用者が再び吐水口１６の下方に手を差し出すと、センサ２１がこれを検知して再び吐水口１６から吐水が行われ、その後手を引き込むと上記と同様にしてセンサ２１による非検知に基づいて吐水口１６からの吐水が停止する（図１５のＦ３２，Ｆ３０）。
【００８１】
このような電磁弁５０の閉弁による止水状態で、図１４（Ｖ）に示しているように使用者が半自動水栓８８を使用し終わったものとして手動レバー８６を閉操作し、手動弁８４を閉弁動作させる（図１５のＦ３４）。
【００８２】
この状態が一定時間継続すると、ここにおいて制御部４０から電磁弁５０に開弁信号が送信されて電磁弁５０が開弁した後、充電切れにより半自動水栓８８の作動が停止する。
【００８３】
尚、電磁弁５０の閉弁により吐水口１６からの吐水が停止したまま使用者が手動レバー８６を閉操作し忘れたとき、本例の半自動水栓８８では一定時間後に電磁弁５０に開弁信号が送られて電磁弁５０が開弁動作する。
すると吐水口１６から使用者の予期せぬ吐水が生じることによって、使用者に手動レバー８６を閉操作し忘れたことを気付かせることができる（図１４（ＶＩ），図１５のＦ３６，Ｆ３８）。
ここにおいて使用者が手動レバー８６を閉操作することで、半自動水栓８８が当初の状態へと戻る。
【００８４】
かかる本例の半自動水栓８８によれば、手動弁８４を起動弁，流量調節弁及び温度調節弁としての機能を併せ有するように構成してあるので、半自動水栓８８に吐止水，流量調節及び温度調節機能を付与することができ、半自動水栓８８の用途が広がる利点が得られる。
【００８５】
以上本発明の実施例を詳述したがこれはあくまで一例示である。
例えば図１６に示しているように弁装置３４において、主弁体５６をバイパスするバイパス水路９２を設けておいて、そのバイパス水路９２上に起動弁としての手動弁５２を開閉可能に設け、その手動弁５２を手動スイッチ２０その他の手動操作部により開弁動作させることによって、水路３２に水流を生ぜしめるようになすことも可能である。
【００８６】
また本例では乾電池等の電源を半自動水栓に搭載しておいて、その電源からの電力供給により電気的に手動操作部による操作で手動弁を開弁させ、水路に水流を生ぜしめるといったことも可能であるなど、本発明はその趣旨を逸脱しない範囲において種々変更を加えた形態で構成可能である。
【図面の簡単な説明】
【図１】本発明の一実施例である半自動水栓を手洗器に設置状態で示す図である。
【図２】同実施例における半自動水栓の各要素とそれらの関係を示すブロック図である。
【図３】同実施例における弁装置の構成を示す図である。
【図４】図３の弁装置の作用説明図である。
【図５】図４に続く作用説明図である。
【図６】図５に続く作用説明図である。
【図７】同実施例の半自動水栓の作用説明図である。
【図８】同実施例の半自動水栓の作用のフロー図である。
【図９】本発明の他の実施例の半自動水栓を流し台への設置状態で示す図である。
【図１０】同実施例の半自動水栓の各要素とそれらの関係を示すブロック図である。
【図１１】同実施例の半自動水栓の作用説明図である。
【図１２】本発明の更に他の実施例の半自動水栓を流し台への設置状態で示す図である。
【図１３】同実施例の半自動水栓の各要素とそれらの関係を示すブロック図である。
【図１４】同実施例の半自動水栓の作用説明図である。
【図１５】同実施例の半自動水栓の作用のフロー図である。
【図１６】本発明の他の実施例において用いられる弁装置の構成を示す図である。
【図１７】従来の自動水栓の一例を示す図である。
【図１８】図１７とは異なる従来公知の水栓を示す図である。
【符号の説明】
１０，８２，８８  半自動水栓
１６  吐水口
２１  センサ
２４  取付面
３２  水路
３６  発電機
４０  制御部
５０  電磁弁（電気駆動弁）
５２  手動弁
５４  主弁
８４  手動弁（第２の手動弁）
８６  手動レバー（シングルレバー操作部）
【図１】
2004257143.tif 000003
【図２】
2004257143.tif 000004
【図３】
2004257143.tif 000005
【図４】
2004257143.tif 000006
【図５】
2004257143.tif 000007
【図６】
2004257143.tif 000008
【図７】
2004257143.tif 000009
【図８】
2004257143.tif 000010
【図９】
2004257143.tif 000011
【図１０】
2004257143.tif 000012
【図１１】
2004257143.tif 000013
【図１２】
2004257143.tif 000014
【図１３】
2004257143.tif 000015
【図１４】
2004257143.tif 000016
【図１５】
2004257143.tif 000017
【図１６】
2004257143.tif 000018
【図１７】
2004257143.tif 000019
【図１８】
2004257143.tif 000020